(57)【特許請求の範囲】
【請求項１】
物体側から順に正の屈折力を有する第１レンズ群、負の屈折力を有する第２レンズ群、開口絞りＳ、要素からなり正の屈折力を有する合焦レンズであるＦレンズ群、及び、正の屈折力を有するＭレンズ群からなるズームレンズであって、
前記Ｍレンズ群は、物体側から順に正の屈折力を有するＭＡレンズ群、防振時に光軸に垂直な方向に移動するＭＶＣレンズ群、及びＭＣレンズ群からなり、
前記各レンズ群は、変倍時に、
前記第１レンズ群と前記第２レンズ群との空気間隔が広角端に対して望遠端で広くなるように移動し、前記第２レンズ群と前記Ｆレンズ群との空気間隔が可変であり、前記Ｆレンズ群と前記Ｍレンズ群との空気間隔が可変であり、
前記各レンズ群が広角端から望遠端にかけて物体側へ移動し、さらに
開口絞りＳ及び前記Ｍレンズ群が一体的に移動する
ことを特徴とするズームレンズ。
【請求項２】
以下の条件を満足することを特徴とする請求項１に記載のズームレンズ。
０．０３＜ＦＦ／ＦＴ＜０．５０                        （１）
０．１８＜Ｆ１／ＦＴ＜２．１０                        （３）
ＦＦ  ：Ｆレンズ群の焦点距離
ＦＴ  ：望遠端の焦点距離
Ｆ１  ：第１レンズ群の焦点距離
【請求項３】
防振時に光軸に垂直な方向に移動する前記防振レンズ群ＭＶＣは、全体として負の屈折力を有し、少なくとも正レンズ及び負レンズを包含し、以下の条件を満足することを特徴とする請求項１に記載のズームレンズ。
−１．０＜ＦＶＣ／ＦＭ＜−０．１                      （２）
ＦＶＣ：Ｍレンズ群中に含まれる防振レンズ群ＭＶＣの焦点距離
ＦＭ  ：Ｍレンズ群の焦点距離
【請求項４】
以下の条件を満足することを特徴とする請求項１に記載のズームレンズ。
０．７０＜｜ΔＴ１／Ｆ１｜＜１．１０                  （４）
ΔＴ１：広角端から望遠端にかけての広角端の位置を基準とした前記第１
レンズ群の移動量（物体側への繰り出しを正の値とする）
Ｆ１  ：前記第１レンズ群の焦点距離
【請求項５】
以下の条件を満足することを特徴とする請求項１に記載のズームレンズ。
０．０２５＜ΔT３／Ｆ３＜０．１６０                    （５）
ΔＴ３：広角端から望遠端にかけての広角端の位置を基準とした前記Ｆレン
ズ群の移動量（物体側への繰り出しを正の値とする）
Ｆ３  ：前記Ｆレンズ群の焦点距離
【発明の詳細な説明】
【技術分野】
【０００１】
本発明は、３５mmカメラ、ビデオカメラ、電子スチルカメラ等に用いられるズームレンズ、さらに詳しくは、バックフォーカスが短く、いわゆるミラーレス一眼カメラにも装着可能なズームレンズに関する。
【背景技術】
【０００２】
従来、一眼レフレックスカメラ用のズームレンズは、該ズームレンズと受光素子との間に回動ミラーが存在するため、バックフォーカスを長くする必要があり、ズームレンズ設計の自由度を制限していた。ミラーレス一眼カメラにおいては、ズームレンズのバックフォーカスを短くすることができ、ズームレンズ設計の自由度が増える利点がある。
【０００３】
従来のズームレンズとして、長い共役側より順に、正の屈折力の第１レンズ群と、負の屈折力の第２レンズ群と、複数または１つのレンズ群によって構成される全体として正の屈折力の後続群とを有し、広角端から望遠端への変倍の際、前記第１レンズ群と前記第２レンズ群の間隔は大となり、前記第２レンズ群と前記後続群との間隔は小となるズームレンズであって、前記第２レンズ群は、負の屈折力の第２ａ群と該第２ａ群より短い共役側に配置された負の屈折力の第２ｂ群とを有し、該第２ｂ群によってフォーカシングを行うと共に、広角端における前記第２ｂ群の倍率をβ２ｂｗとするとき、０＜β２ｂｗ＜１なる条件を満足することを特徴とするズームレンズが提案されている（例えば、特許文献１参照）。
【０００４】
従来の他のズームレンズとして、複数のレンズ群と開口絞りＳを有し、最も物体側から順に、正の屈折力の第１レンズ群Ｇ１と、負の屈折力の第２レンズ群Ｇ２と、第３レンズ群Ｇ３を有し、広角端状態Ｗから望遠端状態Ｔへの変倍に際し、前記第１レンズ群と前記第２レンズ群の間隔は増大し、前記第２レンズ群と前記第３レンズ群の間隔が減少し、前記第２レンズ群と前記第２レンズ群より像側に位置する少なくとも１つのレンズ群とが合焦レンズ群であり、広角端状態から望遠端状態の焦点距離状態に応じて、前記合焦レンズ群のうち少なくとも１つを移動させて遠距離物体から近距離物体へ合焦させ、所定の条件を満足するズームレンズが提案されている（例えば、特許文献２参照）。
【０００５】
従来の他のズームレンズとして、
物体側から像側へ向けて順に、正のパワーを有する第１レンズ群と、
負のパワーを有する第２レンズ群と、
負のパワーを有する第３レンズ群と、
正のパワーを有する第４レンズ群とからなり、
ズーミングに際して、少なくとも前記第１レンズ群が広角端から望遠端にかけて移動し、
前記第４レンズ群は、正のパワーを有する第１サブレンズ群と、前記第１サブレンズ群よりも像側に配置され、負のパワーを有する第２サブレンズ群とを含み、
ズームレンズ系の振動に起因する像ぶれ補正に際して、前記第１サブレンズ群または前記第２サブレンズ群が光軸に直交する方向に移動する、ズームレンズ系が提案されている（例えば、特許文献３参照）。
【先行技術文献】
【特許文献】
【０００６】
【特許文献１】特開平１１−０４４８４８号
【特許文献２】特開２００７−０９３９７４号
【特許文献３】特開２０１０−１７５９５４号
【発明の概要】
【発明が解決しようとする課題】
【０００７】
特許文献１に開示されたズームレンズにおいては、前記第２レンズ群は、負の屈折力の第２ａ群と、該第２ａ群より短く共役側に配置された負の屈折力の第２ｂ群とに分割し、３枚程度のレンズからなる第２ｂ群レンズでフォーカシングを行っている。この３枚程度のレンズからなる第２ｂ群レンズは、重量があり、オートフォーカス機構に大きな負担がかかるという問題がある。
【０００８】
特許文献２に開示されたズームレンズにおいては、第２レンズ群と前記第２レンズ群より像側に位置する少なくとも１つのレンズ群とが合焦レンズ群であり、広角端状態から望遠端状態の焦点距離状態に応じて、前記合焦レンズ群のうち少なくとも１つを移動させて遠距離物体から近距離物体へ合焦させる構成である。すなわち、特許文献２の第１実施例（図１）においては、広角及び中間においてＧ２及びＧ３を移動させて合焦し、望遠においてＧ２のみを移動させて合焦する。同第２実施例（図４）においては、広角においてＧ３のみを移動させて合焦し、中間においてＧ２及びＧ３を移動させて合焦し、望遠においてＧ２のみを移動させて合焦する。
特許文献２に開示されたズームレンズにおいては、負の第２レンズ群Ｇ２及び前記第２レンズ群より像側に位置する少なくとも１つのレンズ群Ｇ３が選択的に移動させて合焦を行うため、鏡筒の構成が複雑になる問題がある。また、合焦レンズの移動レンズの構成枚数が多く、オートフォーカス機構の作動負荷が大きくなるという問題もある。
【０００９】
特許文献３に開示されたズームレンズ系においては、前記構成をとることによってフォーカシングレンズ群がコンパクトでかつフォーカシングレンズ群移動時の像倍率変化の小さいズームレンズ系を得ている。しかし、特許文献３の絞りは、第４レンズ群Ｇ４の被写体側第１面にかなり近接した位置に配置され、第１レンズ群Ｇ１ないし第３レンズ群Ｇ３のレンズ直径が大きくなるという問題がある。
【００１０】
（発明の目的）
本発明は、従来のズームレンズの上述した問題点に鑑みてなされたものであって、インナーフォーカス方式による小型軽量で結像性能の良好な高倍率ズームレンズを提供することを目的とする。
特に、開口絞りより結像側に隣接する第３レンズ群をフォーカスレンズとすることによって、フォーカスレンズの重量を小さくして、オートフォーカス機構に大きな負担がかからないズームレンズを提供することを目的とする。
さらに、合焦のためのレンズ群の枚数を少なくしかつ合焦のためのレンズ移動を単純化して軽量でオートフォーカス機構に大きな負担がかからないズームレンズを提供することを目的とする。
さらに、開口絞り位置をより被写体側に配置することによって、絞り位置より被写体側のレンズ群の直径を小さくして、コンパクト化、軽量化、低コスト化を実現したズームレンズを提供することを目的とする。
【課題を解決するための手段】
【００１１】
本発明は、
ズームレンズ系を構成するレンズ群中、防振時にＭレンズ群の一部を光軸に垂直な方向に移動させることが可能なズームレンズにおいて、
前記Ｍレンズ群より物体側にあり、変倍時に前記Ｍレンズ群より物体側にあるレンズ群との空気間隔が広角端に対して望遠端で広くなるように光軸上を移動する第１レンズ群と、
前記第１レンズ群と前記Ｍレンズ群との間に配置され、変倍時に光軸上を前後に移動する正の屈折力をもつＦレンズ群と、
前記Ｆレンズ群よりも物体側に開口絞りＳを設け、
物体距離無限遠から近距離への合焦の際、前記Ｆレンズ群が光軸上を前後に移動することを特徴とするズームレンズである。
【発明の効果】
【００１２】
本発明のズームレンズは、上述したように構成することによって、インナーフォーカス方式により、物体距離無限遠から近距離への合焦による全長変化が無く、小型軽量で、近距離物体撮影時にも良好な光学性能を有する、例えば１０倍程度のズーム比のズームレンズを構成できる。
本発明のズームレンズによればまた、第３レンズ群をフォーカスレンズとすることによって、フォーカスレンズの重量を小さくして、オートフォーカス機構に大きな負担がかからないズームレンズを構成できる。
さらに、合焦のためのレンズ群の枚数を少なくしかつ合焦のためのレンズ移動を単純化して軽量でオートフォーカス機構に大きな負担がかからないズームレンズを構成できる。
さらに、絞り位置を被写体側に配置することによって、絞り位置より被写体側のレンズ群の直径を小さくして、コンパクト化、軽量化、低コスト化を実現したズームレンズを構成できる。
【００１３】
上述した本発明のズームレンズにおいては、第１レンズ群の総厚みを薄くでき、ズームレンズ全長の短縮化を実現する。開口絞りＳの絞り径は、全ズーム域、フォーカス域において一定の口径とすることも、可変とすることも可能である。
本発明のズームレンズにおいては、望遠端での口径が広角端よりも広くなるようにすることも可能である。
【００１４】
以下に本発明の実施態様とその特性について説明する。
（１）第１実施態様は、本発明において、前記Ｆレンズ群が、単体のレンズ要素からなることを特徴とする。前記Ｆレンズ群は、他のレンズ群に比べてレンズ枚数を少なく構成し、かつ収差補正を適切に行うために、少なくとも１面以上の非球面を設け、球面収差、軸外コマ収差の補正を適切に行うことができる。前記Ｆレンズ群を簡素な構成としたことにより、前記Ｆレンズ群の軽量化が図れ、オートフォーカスの高速動作を可能にする。
前記Ｆレンズ群を球面レンズとしても構成することもできるが、高い結像性能を求められる場合、少なくとも１面以上の非球面を設けることが好ましい。
【００１５】
ここで、単体のレンズ要素とは、単一の研磨レンズ、非球面レンズを含み、また、複合非球面レンズ、接合レンズを含む。単体のレンズ要素は、さらに、複合非球面レンズ、接合レンズを含み、空気層を間に持つ例えば正・負の２枚レンズ等は含まない。
【００１６】
（２）第２実施態様は、本発明において、変倍時に、前記Ｆレンズ群と、前記Ｆレンズ群より物体側に配置されるレンズ群との間隔が、広角端に対して望遠端で狭くなるように変化することを特徴とする。
【００１７】
この構成により、十分な変倍比を確保しつつ、像面位置を一定に保つことができる。また、前記Ｆレンズ群が正の屈折力を持つため、物体距離無限遠から近距離への合焦の際は、前記Ｆレンズ群が撮像面側へ移動する。そのため、前記Ｆレンズ群と前記Ｍレンズ群との間隔は、物体距離無限遠時の望遠端よりも広角端で狭くなり、望遠端で最も広くなる。
【００１８】
（３）第３実施態様は、本発明において、以下の条件（１）を満足することを特徴とする。
０．０３＜ＦＦ／ＦＴ＜０．５０                        （１）
ＦＦ  ：Ｆレンズ群の焦点距離
ＦＴ  ：望遠端の焦点距離
【００１９】
条件式（１）は、望遠端における前記Ｆレンズ群の焦点距離を規定するものである。
上限を超えて前記Ｆレンズ群の焦点距離が長くなると、物体距離無限遠から近距離への合焦に必要な移動量が増え、光学系の全長増大を招き望ましくない。
逆に下限を超えて前記Ｆレンズ群の焦点距離が短くなると、物体距離無限遠から近距離への合焦に必要な移動量が少なくなり、全長の短縮化が図れる。しかし、負の屈折力が強くなり過ぎ、像面湾曲のアンダー化を招き、特に近接状態での像面湾曲が大きくなり、許容できなくなる。
条件式（１）をさらに、０．０５＜ＦＦ／ＦＴ＜０．４５に限定すると、光学全長、近接時の像面湾曲がより適切に補正できる。
条件式（１）をさらに、０．０６＜ＦＦ／ＦＴ＜０．４０  とすると、光学全長、近接時の像面湾曲をより一層適切に補正できる。
【００２０】
（４）第４実施態様は、本発明において、防振時に光軸に垂直な方向に移動する防振レンズ群ＶＣは、全体として負の屈折力を有し、少なくとも正レンズ及び負レンズを包含し、以下の条件（２）を満足することを特徴とする。
−１．０＜ＦＶＣ／ＦＭ＜−０．１                      （２）
ＦＶＣ：Ｍレンズ群中に含まれる防振レンズ群ＭＶＣの焦点距離
ＦＭ  ：Ｍレンズ群の焦点距離
【００２１】
防振時に必要な防振群の光軸に垂直な方向の移動量は、防振群の近軸横倍率をβ１、それ以降のレンズ群の近軸横倍率をβ２とすると、いわゆる、
ぶれ補正係数：（１-β１）×β２
に比例する。
近軸横倍率β１は、負の屈折力を持つレンズ群では負の値となる。そのため、正の場合に比べて、ぶれ補正係数はその絶対値を大きくしやすく、小さい移動量で必要な防振を行うことができる。
本実施形態において、防振群は、防振時の軸上色収差の劣化を防ぐため、少なくとも正・負２枚のレンズで構成し、防振群の硝材は正レンズと負レンズとのアッベ数差を約７程度広げることが好ましい。
【００２２】
条件式（２）は、Ｍレンズ群中に含まれる防振レンズ群ＭＶＣの焦点距離と、Ｍレンズ群の焦点距離の比を規定する。
防振時、光軸に垂直な方向に前記防振レンズ群ＶＣを移動させる場合、条件式の上限を超えると、防振補正量が増大して、防振機構の大型化に繋がるので望ましくない。また、条件式の下限を下回ると、前記防振レンズ群ＶＣの防振敏感度が高くなり、ぶれ補正を行う上で必要な位置制御の精度確保が困難となる。
条件式（２）を、-０．５４＜ＦＶＣ／ＦＭ＜-０．１２  に限定とすると、防振群の機構のコンパクト化、防振時の結像性能がより向上させることができる。
条件式（２）をさらに、-０．３３＜ＦＶＣ／ＦＭ＜-０．２１  に限定すると、防振群の機構のコンパクト化、防振時の結像性能がより一層向上させることができる。
【００２３】
（５）第５実施態様は、本発明において、以下の条件（３）を満足することを特徴とする。
０．１８＜｜Ｆ１/ＦＴ｜＜２．１０                    （３）
Ｆ１  ：第１レンズ群の焦点距離
ＦＴ  ：望遠端の焦点距離
【００２４】
条件式（３）は、望遠端における前記第１レンズ群の焦点距離を規定するものである。前記第１レンズ群の焦点距離が上限を超えて長くなると、望遠端での光学系の全長が増えると共に、広角端から望遠端にかけての第１レンズ群の繰り出し量が増えてしまい、鏡筒径が大きくなるかもしくは鏡筒全長が拡大してしまう問題が起こる。前記第１レンズ群の焦点距離が下限を超えて短くなると、望遠端で過大に発生するg線の軸上色収差の補正が困難となる。
条件（３）をさらに、０．２０＜｜Ｆ１/ＦＴ｜＜２．０５  とすると、鏡筒サイズを適切に抑え、軸上色収差をより適切にバランスよく補正できる。
条件（３）をさらに、０．２１＜｜Ｆ１/ＦＴ｜＜２．００  とすると、鏡筒サイズをより適切に抑え、軸上色収差をより一層適切にバランスよく補正できる。
【００２５】
（６）第６実施態様は、本発明において、前記第１レンズ群と前記Ｆレンズ群との間に、負の屈折力からなる第２レンズ群を持つことを特徴とする。
【００２６】
本発明は、いわゆるプラスリードの４群ズーム構成、５群ズーム構成等も可能であるが、第６実施態様は、レンズ枚数が少なく簡易な鏡筒構成が可能な４群ズーム構成である。  第６実施態様は、広角端から望遠端へかけてのズーミングの際、前記第１レンズ群と前記第２レンズ群の間隔は増大し、前記第２レンズ群と前記Ｆ群の間隔は減少する。この構成により、十分な変倍比を確保しつつ像面位置を一定に保つことができる。
【００２７】
（７）第７実施態様は、第１実施態様ないし第６実施態様において、広角端から望遠端にかけて、前記第１レンズ群と前記第２レンズ群は間隔が広くなるように光軸上を移動し、前記第１レンズ群は撮像面に対して物体側に繰り出す方向へ移動することを特徴とする。
【００２８】
第７実施態様においては、この構成により、前記第１レンズ群と前記第２レンズ群との変倍比をより強くでき、鏡筒サイズのコンパクト化を図ることができる。
前記第２レンズ群は変倍時、撮像面に対して固定しても、移動してもよい。
【００２９】
（８）第８実施態様は、本発明において、前記開口絞りＳは、変倍時に、前記Ｍレンズ群と一体的に移動することを特徴とする。
【００３０】
第８実施態様は、開口絞りを独立した一つの移動群として鏡筒を構成すると、カム環における専用のカム溝が必要となる。他のカム溝との干渉を避けるためには鏡筒径の増大が避けられなくなる。
【００３１】
（８）第９実施態様は、本発明において、以下の条件（４）を満足することを特徴とする。
０．７０＜｜ΔＴ１／Ｆ１｜＜１．１０                        （４）
ΔＴ１：広角端から望遠端にかけての広角端の位置を基準とした前記第１                      レンズ群の移動量（物体側への繰り出しを正の値とする）
Ｆ１  ：前記第１レンズ群の焦点距離
【００３２】
条件式（４）は、第１レンズ群の光軸上の移動量を規定する。
条件式（４）の上限を超えると、第１レンズ群の移動機構をカムで構成した場合、カム溝のカム曲線を滑らかに構成することが困難となり、コンパクトな鏡筒構成とすることができない。
条件式（４）の下限を超えると、望遠端での全長が短くなることによって前記第１レンズ群の偏芯敏感度が高くなり、製造上問題がある。さらに、広角端での全長が長くなり、前玉径が大きくなるという問題が発生する。
条件式（４）をさらに、０．７４＜ΔT／ｆ1＜０．９７  とすると、鏡筒サイズと偏芯敏感度のバランスを適切にできる。
条件式（４）をさらに、０．７８＜ΔT／ｆ1＜０．８４  とすると、鏡筒サイズと偏芯敏感度のバランスをより一層適切にできる。
【００３３】
（８）第９実施態様は、本発明において、以下の条件（５）を満足することを特徴とする。
０．０２５＜ΔT３／Ｆ３＜０．１６０                      （５）
ΔＴ３：広角端から望遠端にかけての広角端の位置を基準としたＦ群の移動                    量（物体側への繰り出しを正の値とする）
Ｆ３  ：第３レンズ群の焦点距離
【００３４】
条件式（５）は、前記Ｆ群の光軸方向の移動量を規定する。
条件式（５）の上限を超えると、第３レンズ群の移動量が大きくなり、フォーカシングを行うアクチュエータを大型化しなければならないという問題が発生する。
条件式（５）の下限を超えると、前記Ｆ群の屈折力が増大し、偏心による敏感度が高くなるという問題が発生する。
条件式（５）をさらに、０．０３０＜ΔT３／Ｆ３＜０．１４０とすると、鏡筒サイズと偏芯敏感度をより適切にバランスをとることができる。
条件式（５）をさらに、０．０３７＜ΔT３／Ｆ３＜０．１２０とすると、鏡筒サイズと偏芯敏感度をより一層適切にバランスをとることができる。
【図面の簡単な説明】
【００３５】
【図１】本発明の第１実施形態のズームレンズの光学図であって、各レンズ群のズーム移動図も含む。
【図２】本発明の第１実施形態のズームレンズのズーム広角端の球面収差、非点収差、歪曲収差の収差図である。
【図３】本発明の第１実施形態のズームレンズのズーム中間焦点距離の球面収差、非点収差、歪曲収差の収差図である。
【図４】本発明の第１実施形態のズームレンズのズーム望遠端の球面収差、非点収差、歪曲収差の収差図である。
【図５】本発明の第１実施形態のズームレンズのズーム望遠端における像ぶれ補正を行わない基本状態と、像ぶれ補正を行った状態の横収差図である。
【図６】本発明の第２実施形態のズームレンズの光学図であって、各レンズ群のズーム移動図も含む。
【図７】本発明の第２実施形態のズームレンズのズーム広角端の球面収差、非点収差、歪曲収差の収差図である。
【図８】本発明の第２実施形態のズームレンズのズーム中間焦点距離の球面収差、非点収差、歪曲収差の収差図である。
【図９】本発明の第２実施形態のズームレンズのズーム望遠端の球面収差、非点収差、歪曲収差の収差図である。
【図１０】本発明の第２実施形態のズームレンズのズーム望遠端における像ぶれ補正を行わない基本状態と、像ぶれ補正を行った状態の横収差図である。
【図１１】本発明の第３実施形態のズームレンズの光学図であって、各レンズ群のズーム移動図も含む。
【図１２】本発明の第３実施形態のズームレンズのズーム広角端の球面収差、非点収差、歪曲収差の収差図である。
【図１３】本発明の第３実施形態のズームレンズのズーム中間焦点距離の球面収差、非点収差、歪曲収差の収差図である。
【図１４】本発明の第３実施形態のズームレンズのズーム望遠端の球面収差、非点収差、歪曲収差の収差図である。
【図１５】本発明の第３実施形態のズームレンズのズーム望遠端における像ぶれ補正を行わない基本状態と、像ぶれ補正を行った状態の横収差図である。
【発明を実施するための形態】
【００３６】
以下に本発明の実施形態を、添付図面を参照して説明する。各実施形態において、数値表の長さの単位はすべて「ｍｍ」であり、画角の単位はすべて「°」である。また、Ｒは曲率半径、Ｄは面間隔、Ｎｄはｄ線に対する屈折率、Ｖｄはｄ線に対するアッベ数である。さらに、ＡＳＰを付した面は非球面である。非球面形状は次式で定義される。
z = ch2/[1+{1-(1+k)c2h2}1/2]+A4h4+A6h6+A8h8+A10h10・・・
c :曲率(1/r)
h :光軸からの高さ
k :円錐係数
A4、A6、A8、A10・・・:各次数の非球面係数
【００３７】
各実施形態の収差図において、左側から順に、球面収差（ｍｍ）、非点収差（ｍｍ）、歪曲収差（％）を示す。球面収差図において、縦軸はＦナンバー（図中、Ｆｎｏで示す）を表し、実線はｄ線、破線はｇ線の特性である。非点収差図において、縦軸は画角（図中、ωで示す）を表し、実線はサジタル像面（図中、ｓで示す）、破線はメリディオナル像面（図中、ｍで示す）の特性である。歪曲収差図において、縦軸は画角（図中、ωで示す）を表す。
【００３８】
各横収差図において、望遠端における像ぶれ補正を行っていない状態が中央に示され、防振群を光軸と略垂直方向に所定量移動させた望遠端における像ぶれ状態が上側・下側に示されている。
各横収差図の上段は、最大像高の７０％の像点における横収差、下段は最大像高の−７０％の像点における横収差に、それぞれ対応する。
各横収差図の横軸は、瞳面上での主光線からの距離を表し、実線はｄ線、破線はｇ線の特性である。
【００３９】
（第１実施形態）
本発明の第１実施形態のズームレンズは、図１に示すように、物体側から順に正の屈折力を有する第１レンズ群Ｇ１、負の屈折力を有する第２レンズ群Ｇ２、開口絞りＳ、正の屈折力を有する合焦レンズであるＦレンズ群Ｆ、正の屈折力からなるＭレンズ群Ｍとからなる。
Ｍレンズ群Ｍは、物体側から順に正の屈折力を持つＭＡレンズ群ＭＡと、防振時光軸に対し垂直方向に移動するＭＶＣレンズ群ＭＶＣと、ＭＣレンズ群ＭＣとからなる。
【００４０】
ＭＡレンズ群ＭＡは、物体側から両凸レンズと像面側に凸面を持つ負メニスカスレンズとの接合レンズ、及び物体側に凸面をもつ負のメニスカスレンズと正レンズとの接合レンズによって構成される。
このように構成することにより、広角端から望遠端にかけての軸上色収差を効果的に補正することができる。
【００４１】
ＭＶＣレンズ群ＭＶＣは、前後のレンズ群やレンズ全系中のレンズ群に比べて比較的レンズ径を小さくし、防振機構を鏡筒内に組み込み易くしている。
Ｆレンズ群と防振レンズ群となるＭＶＣレンズ群との間にＭＡレンズ群を介在させることによって、鏡筒内にアクチュエータを収納し易くするためのスペースを確保した。
このように構成することにより、鏡筒の小型化を図り、また、パワーを各レンズ群に適度に分散させ、手振れ補正に伴う収差変動を良好に補正することができた。
なお、ＭＣレンズ群より撮像面側に、弱い屈折力の正レンズ、あるいは負レンズを固定群として配置しても、あるいは、ＭＶＣレンズ群とＭＣ群との間隔を変倍時に変化させるように構成としても、本発明を好適に実施して本発明の効果を得ることができる。
【００４２】
第１実施形態のズームレンズの光学データは以下の通りである。
面番号         R          D        Nd        Vd
1           ∞        可変
2        132.680     1.500     1.90366    31.3 
3         58.992     7.413     1.43500    95.0 
4       -463.265     0.200
5         58.944     5.895     1.72916    54.7 
6        459.705      可変
7 ASP     52.006     0.200     1.51460    50.0 
8         38.999     1.200     1.88300    40.8 
9         12.134     6.494
10        -24.705     0.800     1.80420    46.5 
11        798.423     0.200
12         38.348     3.000     1.92286    20.9 
13        -39.115     1.264
14        -17.349     1.000     1.80139    45.4 
15 ASP    -56.221      可変
16 絞り      ∞        可変
17 ASP     38.831     2.600     1.69350    53.2 
18 ASP    -61.605      可変
19         19.089     5.206     1.49700    81.6 
20        -20.334     1.656     1.80610    33.3 
21        -41.800     1.237
22         22.199     1.221     1.90366    31.3 
23         10.389     3.774     1.49700    81.6 
24        129.045     1.100
25 ASP    244.003     3.500     1.68893    31.1 
26        -11.815     0.800     1.83481    42.7 
27         22.012     1.905
28         36.993     7.000     1.54072    47.2 
29        -22.175     2.991
30        -13.027     1.000     1.88300    40.8 
31        -38.763     0.200
32         98.457     3.051     1.67270    32.2 
33        -46.273      可変
34           ∞       2.000     1.51680    64.2 
35           ∞
【００４３】
非球面係数
第 7面  K= 0.00000E+00 A4= 2.11773E-05 A6=-7.42565E-08 A8= 2.76094E-10
A10= 4.23754E-13 
第15面  K= 0.00000E+00 A4=-2.56488E-06 A6=-1.77205E-08 A8=-1.29711E-09 
A10= 1.69949E-11 
第17面  K= 2.50125E+00 A4=-9.11521E-06 A6=-7.20102E-07 A8= 1.32972E-08 
A10=-1.24641E-10 
第18面  K= 0.00000E+00 A4= 1.01753E-05 A6=-8.28466E-07 A8= 1.46868E-08 
A10=-1.30385E-10 
第25面  K= 0.00000E+00 A4= 4.27471E-05 A6=-5.26048E-07 A8= 1.52615E-08 
A10=-1.07325E-10 
【００４４】
広角     中間     望遠    望遠至近  望遠VC
焦点距離       18.50    60.00   194.00    102.82   194.02
Ｆナンバー       3.56     5.50     6.47      6.35     6.43
画角         39.18    13.03     4.09      5.26     4.62
D1             ∞       ∞       ∞     310.769     ∞
D6            0.800   25.131   55.897    55.897   55.897
D15          18.053    4.815    1.050     1.050    1.050
D16           4.056    5.655    1.898     8.486    1.898
D18           5.652    4.054    7.810     1.223    7.811
D33          12.500   39.912   49.348    49.348   49.348
レンズ全長      114.296  152.841  189.246   189.412  189.250
【００４５】
（第２実施形態）
第２実施形態のズームレンズの光学データは以下の通りである。
面番号          R          D        Nd         Vd  
1           ∞        可変
2        163.063     1.500     1.90366    31.3
3         63.626     7.400     1.49700    81.6
4       -264.648     0.200
5         57.094     5.500     1.69680    55.5
6        279.674      可変
7 ASP     36.588     0.200     1.51460    50.0
8         31.367     1.200     1.88300    40.8
9         11.621     6.414
10        -22.843     0.800     1.83481    42.7
11         68.433     0.200
12         34.655     3.000     1.92286    20.9
13        -34.655     1.179
14        -15.982     1.000     1.77377    47.2
15 ASP    -38.141      可変
16 絞り      ∞        可変
17 ASP     37.949     2.600     1.60970    57.7
18        -60.068      可変
19         20.450     5.400     1.49700    81.6
20        -20.450     1.000     1.80610    33.3
21        -39.478     0.200
22         26.672     4.200     1.90366    31.3
23         10.500     4.100     1.49700    81.6
24        705.144     1.300
25 ASP     92.659     3.600     1.68893    31.1
26        -12.120     0.800     1.83481    42.7
27         21.100     1.926
28         36.164     4.796     1.54072    47.2
29        -17.400     2.905
30        -12.120     1.000     1.88300    40.8
31        -91.500     0.200
32         63.150     4.200     1.62004    36.3
33        -27.795      可変
34           ∞       2.000     1.51680    64.2
35           ∞
【００４６】
非球面係数
第 7面   K= 0.00000E+00 A4= 1.60231E-05 A6=-4.45788E-08 A8=-7.17694E-12 
A10= 2.31982E-12 
第15面   K= 0.00000E+00 A4=-9.11159E-07 A6=-5.54231E-08 A8=-7.90988E-10 
A10= 1.72250E-11 
第17面   K= 5.74528E+00 A4=-3.06096E-05 A6= 9.15398E-08 A8=-2.19747E-09 
A10= 1.35180E-11 
第25面   K= 0.00000E+00 A4= 4.21760E-05 A6=-6.58715E-07 A8= 2.26551E-08
A10=-1.98372E-10 
【００４７】
広角     中間      望遠     望遠至近    望遠VC
焦点距離      18.50    60.00    194.00     104.13     194.01
Ｆナンバー     3.56     5.50      6.47       6.40       6.47
画角        39.18    13.01      4.10       5.17       4.64
D1            ∞       ∞        ∞      310.600       ∞ 
D6           0.800   25.146    55.026     55.026     55.026 
D15         18.113    5.350     1.050      1.050      1.050 
D16          3.659    5.104     1.898      8.472      1.898 
D18          6.034    4.590     7.796      1.223      7.796 
D34         12.621   40.004    49.989     49.990     49.989 
レンズ全長     114.877  153.882   189.414    189.580    189.417
【００４８】
（第３実施形態）
第３実施形態のズームレンズの光学データは以下の通りである。
面番号         R         D        Nd         Vd 
1           ∞       可変
2        285.090    1.500     1.90366    31.3
3         66.154    8.034     1.49700    81.6
4       -183.176    0.200
5         60.361    5.920     1.74330    49.2
6        440.538     可変
7 ASP     74.180    0.200     1.51460    50.0
8         56.220    1.200     1.83400    37.3
9         12.048    5.000
10        -26.173    0.800     1.80420    46.5
11        127.032    0.200
12         44.979    3.052     1.92286    20.9
13        -30.686    2.718
14        -13.717    1.000     1.80420    46.5
15 ASP    -28.043     可変
16 絞り      ∞       可変
17 ASP     26.634    2.600     1.69680    55.5
18 ASP   -122.026     可変
19         18.765    7.339     1.49700    81.6
20        -19.240    1.745     1.80610    33.3
21        -33.337    0.386
22         20.040    0.919     1.90366    31.3
23          8.830    3.301     1.48749    70.4
24 ASP     30.146    1.200
25         34.101    2.960     1.68893    31.1
26        -34.567    0.800     1.83481    42.7
27         21.724    1.904
28        286.649    1.000     1.91082    35.2
29         31.767    3.511     1.60342    38.0
30        -18.872    0.668
31        -13.465    1.000     1.88300    40.8
32       -634.183    0.200
33         42.628    6.700     1.63980    34.6
34        -32.581     可変
35           ∞      2.000     1.51680    64.2
36           ∞
【００４９】
非球面係数
第 7面   K= 0.00000E+00 A4= 1.98641E-05 A6= 6.25788E-08 A8=-6.82167E-10
A10= 3.69951E-12 
第15面   K= 0.00000E+00 A4=-1.67728E-05 A6= 6.22706E-08 A8=-1.81664E-09 
A10= 1.20763E-11 
第17面   K=-1.44338E+01 A4= 7.98067E-05 A6=-3.00674E-07 A8=-1.29058E-09 
A10= 3.18668E-11 
第18面   K= 0.00000E+00 A4= 4.18026E-06 A6= 3.72388E-07 A8=-5.81276E-09 
A10= 4.80012E-11 
第24面   K= 0.00000E+00 A4= 2.57469E-05 A6= 4.41971E-07 A8=-5.70126E-09 
A10= 1.09667E-10 
【００５０】
広角      中間      望遠   望遠至近    望遠VC
焦点距離      18.00     60.00    200.00   103.64     200.00
Ｆナンバー      3.50      5.80      6.30     6.30       6.30
画角        39.86     13.08      3.92     5.19       5.00
D1            ∞        ∞        ∞    308.213       ∞ 
D6           0.800    21.031    58.450   58.450     58.450 
D15         18.096     3.522     1.300    1.300      1.300 
D16          4.613     6.746     1.900    8.733      1.900 
D18          5.220     3.087     7.933    1.100      7.933 
D34         12.500    46.905    49.579   49.579     49.579 
レンズ全長     114.105   154.166   192.035  192.037    192.035
【００５１】
各実施形態のズームレンズの各条件式の値は以下の通りである。
第１実施形態      第２実施形態      第３実施形態
条件式（１）  ＦＦ／ＦＴ        0.179             0.199             0.158
条件式（２）  ＦＶＣ／ＦＭ     -0.240            -0.355            -0.349
条件式（３）  ｜Ｆ１/ＦＴ｜     0.482             0.474             0.470
条件式（４）  ｜ΔT１／Ｆ１｜   0.802             0.810             0.828
条件式（５）  ΔT３／Ｆ３       0.062             0.046             0.086
【符号の説明】
【００５２】
Ｇ１          第１レンズ群
Ｇ２          第２レンズ群
Ｓ            開口絞り
Ｆ            Ｆレンズ群
Ｍ            Ｍレンズ群
ＭＡ          ＭＡレンズ群
ＭＶＣ        ＭＶＣレンズ群
ＭＣ          ＭＣレンズ群
【図１】
0005764510.tif 000002
【図２】
0005764510.tif 000003
【図３】
0005764510.tif 000004
【図４】
0005764510.tif 000005
【図５】
0005764510.tif 000006
【図６】
0005764510.tif 000007
【図７】
0005764510.tif 000008
【図８】
0005764510.tif 000009
【図９】
0005764510.tif 000010
【図１０】
0005764510.tif 000011
【図１１】
0005764510.tif 000012
【図１２】
0005764510.tif 000013
【図１３】
0005764510.tif 000014
【図１４】
0005764510.tif 000015
【図１５】
0005764510.tif 000016